(57)【要約】【課題】長く伸ばすことができる多段式入力ペンを提供すること。【解決手段】本発明の多段式入力ペンは、中空のスリーブと、前記スリーブの一端に固定される筆先部と、前記スリーブの他端に係合される止め部材と、スライドロッドと、前記スライドロッド上にスライド可能に被せられる第一ドローバーと、前記スリーブ内に解除可能に係止され且つ前記スライドロッドと互いに固定される第二ドローバーと、を備えてなる。前記第二ドローバーは、前記スライドロッドにより前記スリーブから引き出された後、前記止め部材に止められる。【選択図】図７
2011192258.tif 000002
【特許請求の範囲】
【請求項１】
中空のスリーブ及び前記スリーブの一端に固定されている筆先部を備える多段式入力ペンであって、前記多段式入力ペンは、
前記スリーブの他端に係合される止め部材と、
スライドロッドと、
前記スライドロッドにスライド可能に被せられる第一ドローバーと、
前記スリーブ内に解除可能に係止され且つ前記スライドロッドと互いに固定される第二ドローバーと、をさらに備え、
前記第二ドローバーは、前記スライドロッドにより前記スリーブから引き出された後、前記止め部材に止められることを特徴とする多段式入力ペン。
【請求項２】
前記スライドロッドには、スライド溝及び前記スライド溝の両端にそれぞれ連通される２つのロック穴が設けられ、
前記第一ドローバーと前記スライドロッドとは１つのスライドピンを介して一体に連結され、
前記スライドピンは、前記スライド溝内にスライドするように設置され且つ何れの一方のロック穴内に係止されることを特徴とする請求項１に記載の多段式入力ペン。
【請求項３】
前記スライドロッドと前記第二ドローバーとは、１つの固定ピンを介して一体に固定され、
前記止め部材は各々ロック穴が設けられた２つの止め部を含み、前記固定ピンは前記止め部材のロック穴に解除可能に係止されることを特徴とする請求項１に記載の多段式入力ペン。
【請求項４】
前記スライドロッドを前記第一ドローバー内に部分的に収納させた後、前記第一ドローバーを前記第二ドローバー内に装着することを特徴とする請求項１に記載の多段式入力ペン。
【請求項５】
前記スリーブの一端には、前記筆先部を前記スリーブに固定するための固定ピンが装着され、
前記第二ドローバーの一端の対向する両側にはそれぞれ係止部が延伸して形成され、前記係止部は前記固定ピンに解除可能に係合されることを特徴とする請求項１に記載の多段式入力ペン。
【発明の詳細な説明】
【技術分野】
【０００１】
本発明は、多段式入力ペンに関し、特に携帯式電子装置に用いられる多段式入力ペンに関するものである。
【背景技術】
【０００２】
現在、市販されている携帯電話、個人用携帯情報端末（ＰＤＡ）、パソコン等のような携帯式電子装置は、ほとんどタッチパネルを備えている。これらの携帯式電子装置は、一般的に入力ペンを入力手段とする。
【０００３】
従来の入力ペンは、通常携帯式電子装置に内蔵されており、使用する場合、前記入力ペンを前記携帯式電子装置の蓋体から抜き出す。しかし、携帯式電子装置の蓋体の長さが短く且つ内部空間も小さいため、それに収納される入力ペンも短く設計しなければならない。そのため、入力ペンの長さが制限されて、使用が不便である。
【発明の概要】
【発明が解決しようとする課題】
【０００４】
そこで、本発明は上記の問題点を考慮してなされたものであり、伸縮できる多段式入力ペンを提供することを目的とする。
【課題を解決するための手段】
【０００５】
前記課題を解決するために、本発明に係る多段式入力ペンは、中空のスリーブと、前記スリーブの一端に固定される筆先部と、前記スリーブの他端に係合される止め部材と、スライドロッドと、前記スライドロッド上にスライド可能に被せられる第一ドローバーと、前記スリーブ内に解除可能に係止され且つ前記スライドロッドと互いに固定される第二ドローバーと、を備えてなる。前記第二ドローバーは、前記スライドロッドにより前記スリーブから引き出された後、前記止め部材に止められる。
【発明の効果】
【０００６】
従来の技術に比べて、本発明の多段式入力ペンにおいて、前記第一ドローバーは前記スライドロッドに対して異なる位置に位置決めされることができる。且つ、前記第一ドローバーを前記スライドロッドに対して伸長させた後、前記スライドロッドによりその第二ドローバーをスリーブから引き出すことができるので、前記多段式入力ペンの二回目伸長を実現した。
【図面の簡単な説明】
【０００７】
【図１】本発明に係る多段式入力ペンの斜視図である。
【図２】図１に示す多段式入力ペンの分解図である。
【図３】図２に示す多段式入力ペンの止め部材の拡大図である。
【図４】図２に示す多段式入力ペンのスライドロッドの拡大図である。
【図５】図１に示す多段式入力ペンの伸長状態の斜視図である。
【図６】図１に示す多段式入力ペンの局部断面図である。
【図７】図５に示す多段式入力ペンのＶＩＩ−ＶＩＩ線に沿う断面図である。
【図８】図５に示す多段式入力ペンの局部断面図である。
【発明を実施するための形態】
【０００８】
本発明の多段式入力ペンは、携帯電話、個人用携帯情報端末（ＰＤＡ）、パソコン等のような携帯式電子装置に適用する。以下、図面を参照しながら本発明の実施形態に係る多段式入力ペンについて詳細に説明する。
【０００９】
図１及び図２に示すように、本発明の多段式入力ペン１００は、スリーブ１０と、前記スリーブ１０の一端に装着される筆先部２０と、前記筆先部２０と前記スリーブ１０とを一体に固定する第一固定ピン２４と、前記スリーブ１０の他端に装着される止め部材３０と、スライドロッド４０と、前記スライドロッド４０にスライド可能に内装する第一ドローバー５０と、前記第一ドローバー５０に装着されるスライドピン５４と、前記第一ドローバー５０の一端に嵌合されるプラグ６０と、前記第一ドローバー５０と前記プラグ６０とを一体に固定する第二固定ピン６６と、前記スリーブ１０内に解除可能に係止される第二ドローバー７０と、前記第二ドローバー７０の一端を前記スライドロッド４０に固定するための第三固定ピン７４と、前記筆先部２０に被せられるキャップ８０と、を備える。
【００１０】
前記スリーブ１０は、中空の管状体であり、その内部には断面が略矩形を呈する収容空洞部１２が設けられている。前記スリーブ１０の一端には、２つの固定穴１４が対称的に設けられている。
【００１１】
前記筆先部２０の先端部は、錐状を呈して、携帯式電子装置のタッチパネルをタッチすることに使用される。前記筆先部２０の基端部には、２つの第一位置決め穴２２が対称的に設けられている。前記筆先部２０の第一位置決め穴２２と前記スリーブ１０の固定穴１４とを合せてから、穴の内部に前記第一位置決めピン２４を挿通することにより、前記筆先部２０を前記スリーブ１０の一端に固定する。
【００１２】
図３を参照すると、前記止め部材３０は、略筒状体であり、係合又は熱熔融などの方式によって前記スリーブ１０の内壁に固定される。前記止め部材３０の一端には、平行に延伸した２つの止め部３２が設けられている。各々の止め部３２は、上下離間して延伸した２つの止めアーム３４を含む。前記２つの止めアーム３４は、外力を受けると、互いに離れるように広げることができる。且つ、前記２つの止めアーム３４の間には、細長いガイドスリット３４６が形成され、前記ガイドスリット３４６の２つの内側壁には、凹んで形成されたロック穴３４４が設けられている。
【００１３】
図４を参照すると、前記スライドロッド４０は、対向する２つの側壁４２、前記２つの側壁４２を貫通するように形成されているスライド溝４４及び前記スライド溝４４に隣接して設けられている固定穴４２２を含む。前記スライド溝４４の両端には、順次に連通するチャンネル４７、ロック穴４６及びスリット４８がそれぞれ設けられている。前記スリット４８が存在するため、前記スライドピン５４が前記チャンネル４７を介して前記ロック穴４６内に滑り込む時に、前記ロック穴４６を形成する側壁が広げ易い。前記スライドピン５４が前記ロック穴４６内に滑り込んだ後、前記ロック穴４６の側壁は弾性力により元様に回復して、前記スライドピン５４を安定的に保持する。なお、前記スライドロッド４０が十分な弾性を持っていれば、前記スリット４８を省略してもよい。
【００１４】
再び図２を参照すると、前記第一ドローバー５０は、中空の管状体であり、前記スライドロッド４０は前記第一ドローバー５０内に部分的に収容される。前記第一ドローバー５０の両端には、その対向する２つの側壁を貫通する固定穴５２及び固定穴５８が別々に設けられる。前記固定穴５２、前記ロック穴４６及び前記スライドピン５４は同じサイズを有する。前記スライドロッド４０を前記第一ドローバー５０内に装着した後、前記固定穴５２は前記スライドロッド４０の１つのロック穴４６と同一軸線に位置するので、その穴の内部に前記スライドピン５４を挿入することにより、前記スライドロッド４０と前記第一ドローバー５０との相対的なスライドを実現する。
【００１５】
前記第一ドローバー５０が外力により引張られると、前記スライドピン５４は前記ロック穴４６から離脱し、前記チャンネル４７を介して前記スライド溝４４に入ってスライドし、さらに前記スライドロッド４０の他端のロック穴４６内へ滑り込んで係止される。このようにして、前記第一ドローバー５０は前記スライドロッド４０に対して伸長される。
【００１６】
前記プラグ６０は、前記スリーブ１０の一端に塞がれており、前記第一ドローバー５０が前記スリーブ１０から引張られて延出することを容易にさせる。前記プラグ６０の一端には、前記第一ドローバー５０の一端に嵌入される嵌合部６２が設けられている。前記嵌合部６２の側面には第二位置決め穴６４が設けられているので、前記固定ピン６６を前記第二位置決め穴６４と前記固定穴５８とに挿入することにより、前記プラグ６０と前記ドローバー５０とが一体に固定される。
【００１７】
前記第二ドローバー７０は、中空の管状体であり、前記スライドロッド４０と前記第一ドローバー５０とを収容することに用いられる。前記第二ドローバー７０の一端には、前記第二ドローバー７０の対向する２つの側壁を貫通する固定穴７２が設けられている。前記スライドロッド４０と前記第一ドローバー５０とを前記第二ドローバー７０内に収納した後、前記固定穴７２と前記固定穴４２２とは同一軸線上に位置するので、その穴の内部に前記第三固定ピン７４を挿入することにより、前記スライドロッド４０の一端と前記第二ドローバー７０の一端とが固定される。
【００１８】
また、前記第二ドローバー７０の前記固定穴７２に近接する一端の対向する両側に、係止部７６がそれぞれ突き出されて延伸する。前記係止部７６は、前記止め部３２と同じような形状を有するから、詳しい説明を省略する。前記第二ドローバー７０を前記スリーブ１０内に収納してから、その係止部７６を前記第一固定ピン２４に係止させることにより、前記第二ドローバー７０を前記スリーブ１０内に位置決めする。
【００１９】
前記キャップ８０は、前記筆先部２０上に着脱可能に被せられる。前記多段式入力ペン１００を便利に携帯するため、前記キャップ８０の一端にストラップを設けるのが望ましい。
【００２０】
以下、図２、図５及び図６を参照しながら、本発明の多段式入力ペン１００の組立てステップについて詳細に説明する。
【００２１】
まず、前記筆先部２０の第一位置決め穴２２と前記スリーブ１０の固定穴１４との位置を合せてから、前記第一固定ピン２４により前記筆先部２０を前記スリーブ１０に固定する。
【００２２】
次に、前記スライドロッド４０を前記第一ドローバー５０内に収納してから、前記スライドピン５４により、前記第一ドローバー５０の固定穴５２と前記スライドロッド４０の前記固定穴４２２に近いロック穴４６とを挿通して、前記第一ドローバー５０を前記スライドロッド４０上にスライド可能に被せる。
【００２３】
次に、前記スライドロッド４０と前記第一ドローバー５０との組立て体を前記第二ドローバー７０内に収納してから、前記第三固定ピン７４を、前記スライドロッド４０の固定穴４２２と前記第二ドローバー７０の固定穴７２とを挿通して、前記スライドロッド４０と前記第二ドローバー７０とを固定する。
【００２４】
次に、前記スライドロッド４０、前記第一ドローバー５０及び前記第二ドローバー７０の組立て体を前記スリーブ１０の収容空洞部１２内に収納して、前記第二ドローバー７０の２つの係止部７６をそれぞれ前記第一固定ピン２４に係止させる。ついで、前記２つの止めアーム３４を前記収容空洞部１２へ指向するように、前記止め部材３０を前記スリーブ１０の前記筆先部２０から離れている一端に係合する。
【００２５】
最後に、前記プラグ６０の嵌合部６２を前記第一ドローバー５０に嵌入してから、前記固定穴５８と前記第二位置決め穴６４内に第二固定ピン６６を挿入することにより、前記プラグ６０を前記第一ドローバー５０の一端に固定する。ついで、前記キャップ８０を前記筆先部２０に被せて、前記多段式入力ペン１００の組立を完成する。
【００２６】
図７及び図８に示すように、前記多段式入力ペン１００を長く伸長する場合、前記プラグ６０を引張って前記第一ドローバー５０を誘導して移動すると、前記スライドピン５４は前記スライドロッド４０の前記固定穴４２２に近接しているロック穴４６から離脱して、前記チャンネル４７を介して前記スライド溝４４に入ってスライドし、さらに前記固定穴４２２から離れているもう１つのロック穴４６内へ滑り込んで係止される。これにより、前記第一ドローバー５０が長く伸ばされて、前記多段式入力ペン１００の一回目伸長が実現される。
【００２７】
引き続き前記プラグ６０を引張ると、前記スライドロッド４０は牽引されて移動すると共に、前記第三固定ピン７４を介して前記第二ドローバー７０を引張る。従って、前記係止部７６は前記第一固定ピン２４から離脱して、前記第二ドローバー７０は前記スリーブ１０から離れるように引き出される。前記第二ドローバー７０の一端に装着された前記第三固定ピン７４は、前記止め部材３０の２つのロック穴３４４内に係止されると、前記第二ドローバー７０は完全に伸ばされて、前記多段式入力ペン１００の二回目伸長が実現される。
【００２８】
また、本発明の別の実施形態では、内壁にスライド溝が設けられている第三ドローバーを増加してもよい。前記第二ドローバー７０を前記第三ドローバー内にスライド可能に収納させ、且つ前記第二ドローバー７０の末端に前記第三ドローバーの端部に係止される突起部を設ける。この場合、前記第三ドローバーの他端は前記止め部材３０と互いに係止されるので、前記第二ドローバー７０を引き出した後、前記突起部を介して前記第三ドローバーを長く引張って、前記多段式入力ペン１００の三回目伸長を実現することができる。
【００２９】
また、前記第一ドローバー５０と前記スライドロッド４０とのスライド方式は、上記した実施形態に限定されなく、例えば、スライドレールとガイド溝との組み合せでスライドすることができる。
【００３０】
また、前記止め部材３０の代わりに前記スリーブ１０の内壁に突出する係止ブロックを設けてもよい。前記係止ブロックは前記第三固定ピン７４の移動方向で前記第三固定ピン７４を係止できさえすればよい。同じく、前記第三固定ピン７４の代わりに、前記第二ドローバー７０の両側に前記止め部材３０と互いに係止する条状突起を設けてもよい。
【００３１】
また、前記プラグ６０と前記第一ドローバー５０とを一体に成型してもよい。これにより、前記第二固定ピン６６を省略することができる。
【００３２】
本発明の多段式入力ペン１００は、前記スライドピン５４を前記２つのロック穴４６の間にスライドさせることにより、前記第一ドローバー５０の前記スライドロッド４０に対する伸縮を実現する。これと同時に、前記スライドロッド４０により前記第二ドローバー７０が引張っられて前記スリーブ１０から引き出される。前記多段式入力ペン１００の各部材の構造が簡単で且つ何度も伸長できるので、操作が簡単である。
【００３３】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００３４】
１０      スリーブ
１２      収容空洞部
１４      固定穴
２０      筆先部
２２      第一位置決め穴
２４      第一固定ピン
３０      止め部材
３２      止め部
３４      止めアーム
４０      スライドロッド
４４      スライド溝
４６      ロック穴
４７      チャンネル
４８      スリット
５０      第一ドローバー
５２      固定穴
５４      スライドピン
５８      固定穴
６０      プラグ
６２      嵌合部
６４      第二位置決め穴
６６      第二固定ピン
７０      第二ドローバー
７２      固定穴
７４      第三固定ピン
８０      キャップ
１００    多段式入力ペン
３４４    ロック穴
３４６    ガイドスリット
４２２    固定穴
【図１】
2011192258.tif 000003
【図２】
2011192258.tif 000004
【図３】
2011192258.tif 000005
【図４】
2011192258.tif 000006
【図５】
2011192258.tif 000007
【図６】
2011192258.tif 000008
【図７】
2011192258.tif 000009
【図８】
2011192258.tif 000010